(57)【特許請求の範囲】
【請求項１】
複数の画像が同時間帯に表示されると共に視線方向の違いにより視認される画像を異ならせ得る表示パネルであって、前記表示パネルの中心に対する斜め上方からの視線方向を示す上側視線方向と前記表示パネルの中心に対する斜め下方からの視線方向を示す下側視線方向とで異ならせ得る画像が視認される向きで配置される表示パネルと、
第１の画像と第２の画像とを記憶機器を用いて記憶する画像記憶部と、
前記画像記憶部に記憶されている前記第１の画像を前記上側視線方向で視認させる画像として前記表示パネルに表示し、前記画像記憶部に記憶されている前記第２の画像若しくは第１の画像を前記下側視線方向で視認させる画像として前記表示パネルに表示するパネル制御部と、
前記表示パネルの前方に位置している対象物の幅を検知する幅センサとを備え、
前記パネル制御部は、前記幅センサにより検知された前記対象物の幅が所定の閾値未満である場合に前記第２の画像を前記下側視線方向で視認させる画像として前記表示パネルに表示し、前記幅センサにより検知された前記対象物の幅が前記所定の閾値以上である場合に前記第１の画像を前記下側視線方向で視認させる画像として前記表示パネルに表示することを特徴とする表示パネル付きカードリーダ。
【請求項２】
前記表示パネル付きカードリーダは、さらに、
前記対象物の高さを検知する高さセンサを備え、
前記パネル制御部は、前記幅センサにより検知された前記対象物の幅が前記所定の閾値以上で且つ前記高さセンサにより検知された前記対象物の高さが所定の第２の閾値未満である場合に前記第２の画像を前記下側視線方向で視認させる画像として前記表示パネルに表示し、前記幅センサにより検知された前記対象物の幅が前記所定の閾値以上で且つ前記高さセンサにより検知された前記対象物の高さが前記所定の第２の閾値以上である場合に前記第１の画像を前記下側視線方向で視認させる画像として前記表示パネルに表示することを特徴とする請求項１記載の表示パネル付きカードリーダ。
【請求項３】
前記表示パネルは、表面を押下され、押下された位置に対応する情報を指定情報として取得するタッチパネルであり、
前記パネル制御部は、前記幅センサにより検知された前記対象物の幅が所定の閾値以上である場合に前記第１の画像と前記第２の画像とのいずれかの選択を促す選択画面を前記表示パネルに表示して前記下側視線方向で視認させ、前記選択画面の表示された前記表示パネルにより取得された指定情報に基づいて前記第１の画像と前記第２の画像とのうち前記選択画面で選択された画像を選択画像として特定し、特定した前記選択画像を前記下側視線方向で視認させる画像として前記表示パネルに表示することを特徴とする請求項１記載の表示パネル付きカードリーダ。
【請求項４】
前記パネル制御部は、前記幅センサにより検知された前記対象物の幅が前記所定の閾値以上である場合に前記第１の画像により示される情報と前記第２の画像により示される情報とを含めた第３の画像を前記下側視線方向で視認させる画像として前記表示パネルに表示することを特徴とする請求項１記載の表示パネル付きカードリーダ。
【請求項５】
複数の画像が同時間帯に表示されると共に視線方向の違いにより視認される画像を異ならせ得る表示パネルであって、前記表示パネルの中心に対する斜め上方からの視線方向を示す上側視線方向と前記表示パネルの中心に対する斜め下方からの視線方向を示す下側視線方向とで異ならせ得る画像が視認される向きで配置される表示パネルと、
第１の画像と第２の画像とを記憶機器を用いて記憶する画像記憶部と、
前記画像記憶部に記憶されている前記第１の画像を前記上側視線方向で視認させる画像として前記表示パネルに表示し、前記画像記憶部に記憶されている前記第２の画像若しくは第１の画像を前記下側視線方向で視認させる画像として前記表示パネルに表示するパネル制御部と、
前記表示パネルの前方に位置している対象物の幅を検知する幅センサとを備え、
前記パネル制御部は、前記幅センサにより検知された前記対象物の幅が所定の閾値未満である場合に前記第２の画像を前記下側視線方向で視認させる画像として前記表示パネルに表示し、前記幅センサにより検知された前記対象物の幅が前記所定の閾値以上である場合に前記第１の画像を前記下側視線方向で視認させる画像として前記表示パネルに表示することを特徴とする表示パネル付き認証情報読取装置。
【請求項６】
前記表示パネル付き認証情報読取装置は、さらに、
前記対象物の高さを検知する高さセンサを備え、
前記パネル制御部は、前記幅センサにより検知された前記対象物の幅が前記所定の閾値以上で且つ前記高さセンサにより検知された前記対象物の高さが所定の第２の閾値未満である場合に前記第２の画像を前記下側視線方向で視認させる画像として前記表示パネルに表示し、前記幅センサにより検知された前記対象物の幅が前記所定の閾値以上で且つ前記高さセンサにより検知された前記対象物の高さが前記所定の第２の閾値以上である場合に前記第１の画像を前記下側視線方向で視認させる画像として前記表示パネルに表示することを特徴とする請求項５記載の表示パネル付き認証情報読取装置。
【請求項７】
前記表示パネルは、表面を押下され、押下された位置に対応する情報を指定情報として取得するタッチパネルであり、
前記パネル制御部は、前記幅センサにより検知された前記対象物の幅が所定の閾値以上である場合に前記第１の画像と前記第２の画像とのいずれかの選択を促す選択画面を前記表示パネルに表示して前記下側視線方向で視認させ、前記選択画面の表示された前記表示パネルにより取得された指定情報に基づいて前記第１の画像と前記第２の画像とのうち前記選択画面で選択された画像を選択画像として特定し、特定した前記選択画像を前記下側視線方向で視認させる画像として前記表示パネルに表示することを特徴とする請求項５記載の表示パネル付き認証情報読取装置。
【請求項８】
前記パネル制御部は、前記幅センサにより検知された前記対象物の幅が前記所定の閾値
以上である場合に前記第１の画像により示される情報と前記第２の画像により示される情報とを含めた第３の画像を前記下側視線方向で視認させる画像として前記表示パネルに表示することを特徴とする請求項５記載の表示パネル付き認証情報読取装置。
【発明の詳細な説明】
【技術分野】
【０００１】
本発明は、例えば、メモリに格納された表示ガイダンスを液晶表示画面に表示する機能を持ち、ビルやマンションの入口に設置される表示パネル付きカードリーダおよび表示パネル付き認証情報読取装置に関するものである。
【背景技術】
【０００２】
従来の液晶表示付きカードリーダは、特定のガイダンスを液晶表示画面に表示し、カードリーダで利用者の所持するＩＣ（Ｉｎｔｅｇｒａｔｅｄ  Ｃｉｒｃｕｉｔ）カードから情報を読み取っていた。
【特許文献１】特開２００５−２５７９７３号公報
【発明の開示】
【発明が解決しようとする課題】
【０００３】
しかし、液晶表示画面に表示されるガイダンスは通常、漢字が用いられた大人向けのものであり、子供に理解してもらえないという課題があった。一方、子供に合わせて平仮名とカタカナで示したガイダンスは大人にとって読みづらい。
【０００４】
本発明は、例えば、一つの液晶表示画面を用いて大人にも子供にも分かり易いガイダンスその他の情報を表示する液晶表示付きカードリーダを提供できるようにすることを目的とする。
【課題を解決するための手段】
【０００５】
本発明の表示パネル付きカードリーダは、複数の画像が同時間帯に表示されると共に視線方向の違いにより視認される画像を異ならせ得る表示パネルであって、前記表示パネルの中心に対する斜め上方からの視線方向を示す上側視線方向と前記表示パネルの中心に対する斜め下方からの視線方向を示す下側視線方向とで異ならせ得る画像が視認される向きで配置される表示パネルと、第１の画像と第２の画像とを記憶機器を用いて記憶する画像記憶部と、前記画像記憶部に記憶されている前記第１の画像を前記上側視線方向で視認させる画像として前記表示パネルに表示し、前記画像記憶部に記憶されている前記第２の画像若しくは第１の画像を前記下側視線方向で視認させる画像として前記表示パネルに表示するパネル制御部と、前記表示パネルの前方に位置している対象物の幅を検知する幅センサとを備え、前記パネル制御部は、前記幅センサにより検知された前記対象物の幅が所定の閾値未満である場合に前記第２の画像を前記下側視線方向で視認させる画像として前記表示パネルに表示し、前記幅センサにより検知された前記対象物の幅が前記所定の閾値以上である場合に前記第１の画像を前記下側視線方向で視認させる画像として前記表示パネルに表示することを特徴とする。
【発明の効果】
【０００６】
本発明によれば、例えば、一つの表示パネル（液晶表示画面）に同時に大人向けのガイダンスと子供向けのガイダンスとを表示すると共に、大人と子供の視線方向の違いを利用して、大人には大人向けガイダンスを示し、子供には子供向けガイダンスを示す表示パネル付きカードリーダを提供することができる。
【発明を実施するための最良の形態】
【０００７】
実施の形態１．
図１は、実施の形態１における液晶パネル付きカードリーダ１００の設置例を示す図である。
図１に示すように、実施の形態１における液晶パネル付きカードリーダ１００（表示パネル付きカードリーダ、表示パネル付き認証情報読取装置の一例）は、ビル、マンション、エレベータ、部屋などのセキュリティ管理された場所の入口（ドア２００の脇）に設置される。
液晶パネル付きカードリーダ１００は、入場を希望する利用者２０６（図示省略）により利用者２０６の所有する認証用カードがカードリーダ１０１（認証情報読取装置の一例）に近接され、カードリーダ１０１により認証用カードから認証情報１１３を読み取り、読み取った認証情報１１３を認証要求として認証装置１９０（図示省略）に送信する。認証装置１９０により認証情報１１３が認証された場合（入場許可された場合）、ドア制御装置１８０（図示省略）によりドア２００が戸開され、利用者２０６は入場することができる。
また、液晶パネル付きカードリーダ１００は、利用者２０６のために、利用者２０６を迎え入れる挨拶、カードリーダ１０１への認証用カードの近接要求、入場後の注意事項などのガイダンスの内容を示す画像（以下、ガイダンスという）を液晶パネル１０２（表示パネル、液晶画面、タッチパネルの一例）に表示する。例えば、ガイダンスは文字、絵、アニメーションまたはこれらの組み合わせで構成される。
また、カメラ１０３は、後述するように、幅センサおよび高さセンサとして液晶パネル付きカードリーダ１００の前に位置する利用者２０６を撮像する。
【０００８】
図２は、実施の形態１における液晶パネル付きカードリーダ１００と大人からの目線と子供からの目線との関係を示す図である。
図２に示すように、実施の形態１における液晶パネル付きカードリーダ１００は、液晶パネル１０２が大人から見下ろされ、子供から見上げられるような高さ（例えば、床から１３０〜１５０ｃｍの高さ）に設置される。
【０００９】
液晶パネル１０２は、複数の画像が同時（同時間帯）に表示されると共に、視線方向（視線角度、視野方向［角度］、目線方向［角度］）の違いにより視認される画像が異なるという特性を有する。例えば、液晶パネル１０２は、パネル背面のバックライトで発光させた光をフィルタを用いて左右に分離することにより、右から見られたときと左から見られたときとで異なる画像を見せる。液晶パネル１０２はデュアルビュー（商標登録）液晶とも呼ばれる。
【００１０】
液晶パネル１０２は液晶パネル付きカードリーダ１００に縦向きに配置され、斜め上から見られたときと斜め下から見られたときとで異なる画像を利用者２０６に見せる。
液晶パネル付きカードリーダ１００は、大人の目線から見える画像、つまり、斜め上から見られたときの画像（以下、上視画面という）として大人向けのガイダンスを液晶パネル１０２に表示し、子供の目線から見える画像、つまり、斜め下から見られたときの画像（以下、下視画面という）として子供向けのガイダンスを表示する。
【００１１】
さらに、液晶パネル付きカードリーダ１００は、液晶パネル１０２を見上げる利用者２０６が子供であるか車椅子２０７に乗った大人であるかの認識を行い、利用者２０６が子供である場合には下視画面として子供向けのガイダンスを表示し、利用者２０６が車椅子２０７に乗った大人である場合には下視画面として大人向けのガイダンスを表示する。
【００１２】
以下、車椅子２０７を使用していない大人からの目線であり液晶パネル１０２の中心に対する斜め上方からの視線方向を上側視線方向２０１といい、子供および車椅子使用者からの目線であり液晶パネル１０２の中心に対する斜め下方からの視線方向を下側視線方向２０２という。上視画面は液晶パネル付きカードリーダ１００が上側視線方向２０１で利用者２０６に視認させる画像であり、下視画面は液晶パネル付きカードリーダ１００が下側視線方向２０２で利用者２０６に視認させる画像である。
【００１３】
図３は、実施の形態１における液晶パネル付きカードリーダ１００および認証システム１９９の構成図である。
実施の形態１における液晶パネル付きカードリーダ１００および認証システム１９９の構成について、図３に基づいて以下に説明する。
【００１４】
認証システム１９９は、液晶パネル付きカードリーダ１００、認証装置１９０、ドア制御装置１８０およびドア２００を備える。
液晶パネル付きカードリーダ１００（表示パネル付きカードリーダ、表示パネル付き認証情報読取装置の一例）は、カードリーダ１０１、液晶パネル１０２、カメラ１０３、ＣＰＵ１０４およびメモリ１０５を備え、ガイダンスの表示および認証情報１１３の取得を行う。
認証装置１９０は、液晶パネル付きカードリーダ１００により取得された認証情報１１３に対して認証処理を行う。
ドア制御装置１８０は、認証装置１９０による認証処理の結果が入場許可である場合に戸閉しているドア２００を戸開する。
ドア２００は、入場の制限されている場所の入口に設置され、普段は戸閉しており、認証装置１９０から入場許可が出たときにドア制御装置１８０により戸開される。
【００１５】
次に、液晶パネル付きカードリーダ１００の各構成について説明する。
カードリーダ１０１（認証情報読取装置の一例）は、認証情報１１３（例えば、利用者２０６の登録ＩＤ［Ｉｄｅｎｔｉｆｉｅｒ］）の記録されているＩＣタグを備えたカード（以下、認証カードという）が近接されたときに認証カードのＩＣタグと短距離無線通信（例えば、ＲＦＩＤ［Ｒａｄｉｏ  Ｆｒｅｑｕｅｎｃｙ  Ｉｄｅｎｔｉｆｉｃａｔｉｏｎ］による通信）を行い、認証カードのＩＣタグから認証情報１１３を読み取る。
液晶パネル１０２（表示パネル、液晶画面、タッチパネルの一例）は、複数の画像が同時間帯に表示されると共に視線方向の違いにより視認される画像が異なるという特性を有し、上側視線方向２０１と下側視線方向２０２とで異なる画像が視認される向きで液晶パネル付きカードリーダ１００の前面に配置されている。
カメラ１０３（幅センサ、高さセンサの一例）は、液晶パネル付きカードリーダ１００の前面に設けられ、液晶パネル付きカードリーダ１００（特に、液晶パネル１０２）の前方の静止画または動画（以下、前方画像１１４という）を撮像する。
メモリ１０５（例えば、ＲＡＭ［Ｒａｎｄｏｍ  Ａｃｃｅｓｓ  Ｍｅｍｏｒｙ］、主記憶装置、キャッシュ、バッファ）（画像記憶部）には、予め、大人向けガイダンス１１１（第１の画像）および子供向けガイダンス１１２（第２の画像）が記憶されている。
【００１６】
ＣＰＵ１０４（中央処理装置）は、パネル制御部１２１、利用者判定部１２２および認証要求部１２３として機能し、カードリーダ１０１、液晶パネル１０２、カメラ１０３およびメモリ１０５を制御する。
利用者判定部１２２は、カメラ１０３に前方画像１１４を撮像させ、撮像させた前方画像１１４をカメラ１０３から入力し、入力した前方画像１１４に基づいて液晶パネル付きカードリーダ１００（特に、液晶パネル１０２）の前方にいる利用者２０６の幅および高さを計測する。そして、利用者判定部１２２は、計測結果に基づいて、利用者２０６が車椅子２０７を使用しているか否か、および車椅子２０７を使用している利用者２０６が大人であるか子供であるかを判定する。
パネル制御部１２１は、メモリ１０５に記憶されている大人向けガイダンス１１１を上視画面として液晶パネル１０２に表示し、メモリ１０５に記憶されている子供向けガイダンス１１２を下視画面として液晶パネル１０２に表示する。また、パネル制御部１２１は、利用者判定部１２２により利用者２０６が車椅子２０７を使用している大人であると判定された場合、大人向けガイダンス１１１を下視画面として液晶パネル１０２に表示する。
認証要求部１２３は、カードリーダ１０１が読み取った認証情報１１３を入力し、入力した認証情報１１３を認証装置１９０に出力して認証情報１１３に対する認証処理を要求する。
【００１７】
認証情報１１３、前方画像１１４、利用者判定部１２２の判定結果など、液晶パネル付きカードリーダ１００で使用される情報はメモリ１０５に記憶される（図示省略）。
【００１８】
図４は、実施の形態１における認証システム１９９の認証方法を示すフローチャートである。
実施の形態１における認証システム１９９の認証方法について、図４に基づいて以下に説明する。
ここで、液晶パネル付きカードリーダ１００のカメラ１０３は、連続で、または、短い間隔で、液晶パネル付きカードリーダ１００（特に、液晶パネル１０２）の前方を撮影しているものとする。但し、カメラ１０３は液晶パネル付きカードリーダ１００の前に利用者２０６がいるときだけ撮影を行ってもよい。例えば、液晶パネル付きカードリーダ１００が人感センサ（例えば、赤外線センサ）を備え、人感センサにより液晶パネル付きカードリーダ１００の前に利用者２０６が現れたことが検知されたときに、所定の時間、または、人感センサにより利用者２０６が検知されている間、カメラ１０３が撮影を行ってもよい。
【００１９】
＜Ｓ１１０：利用者検知処理＞
まず、液晶パネル付きカードリーダ１００の前方に利用者２０６が現れたか否かが判定される。
例えば、利用者判定部１２２は、カメラ１０３により撮影された現在の前方画像１１４と利用者２０６が液晶パネル付きカードリーダ１００の前方にいないときに撮影された画像（以下、標本画像という）との各画素を比較し、比較結果に基づいて液晶パネル付きカードリーダ１００の前方に利用者２０６が現れたか否かを判定する。例えば、利用者判定部１２２は前方画像１１４と標本画像とで異なる画素の数が所定の閾値以上である場合に、液晶パネル付きカードリーダ１００の前方に利用者２０６が現れたと判定する。また例えば、液晶パネル付きカードリーダ１００が人感センサ（例えば、赤外線センサ）を備え、利用者判定部１２２は人感センサから液晶パネル付きカードリーダ１００の前方に利用者２０６が現れたことを示す検知信号を入力したか否かにより判定を行ってもよい。
利用者検知処理（Ｓ１１０）は液晶パネル付きカードリーダ１００の前方に利用者２０６が現れるまで繰り返される。
【００２０】
＜Ｓ１２０：ガイダンス表示処理＞
Ｓ１１０において液晶パネル付きカードリーダ１００の前方に利用者２０６が現れたことが検知された場合、パネル制御部１２１は所定の画面制御方法により所定のガイダンスを液晶パネル１０２に表示する。
これにより、利用者２０６はガイダンスの情報を知ることができる。
画面制御方法の詳細については後述する。
【００２１】
＜Ｓ１３０：認証処理＞
ここで、利用者２０６により認証カードがカードリーダ１０１に近接される。
カードリーダ１０１は認証カードから認証情報１１３を読み取り、認証要求部１２３はカードリーダ１０１に読み取られた認証情報１１３を入力し、入力した認証情報１１３を認証装置１９０に出力する。
認証装置１９０は、認証システム１９９により入場制限されている場所に出入りすることを許可されている利用者２０６のＩＤが登録情報として予め記憶されているデータベース装置を備え、認証要求部１２３から入力した認証情報１１３とデータベース装置に記憶されている登録情報とを比較して認証情報１１３と一致する登録情報を検索する。
認証情報１１３と一致する登録情報が有る場合、認証装置１９０は認証結果を「認証ＯＫ（入場許可）」とし、ドア制御装置１８０に入場許可を通知する。
認証情報１１３と一致する登録情報が無い場合、認証装置１９０は認証結果を「認証ＮＧ（入場不許可）」とし、ドア制御装置１８０に入場許可を通知しない。この場合、戸開処理（Ｓ１４０）は実行されない。
また、認証要求部１２３は所定の時間待ってもカードリーダ１０１により認証情報１１３が読み取られない場合、認証結果を「認証ＮＧ（入場不許可）」とする。この場合、戸開処理（Ｓ１４０）は実行されない。
【００２２】
＜Ｓ１４０：戸開処理＞
認証処理（Ｓ１３０）において認証装置１９０からドア制御装置１８０への入場許可の通知があった場合、ドア制御装置１８０はドア２００を戸開する。
これにより、利用者２０６は入場制限された場所に入ることができる。
【００２３】
図５は、実施の形態１における画面制御方法を示すフローチャートである。
ガイダンス表示処理（Ｓ１２０）での画面制御方法について、図５に基づいて以下に説明する。
【００２４】
＜Ｓ１２１＞
パネル制御部１２１はメモリ１０５に記憶されている大人向けガイダンス１１１を上視画面として液晶パネル１０２に表示する。
これにより、液晶パネル付きカードリーダ１００は、斜め上から液晶パネル１０２を見る大人の利用者２０６に大人向けガイダンス１１１を見せることができる。
【００２５】
＜Ｓ１２２＞
利用者判定部１２２はカメラ１０３により撮影された前方画像１１４を入力し、入力した前方画像１１４に基づいて利用者２０６が車椅子２０７を使用しているか否かを判定する。
このとき、利用者判定部１２２は前方画像１１４から利用者２０６の映っている範囲を特定し、特定した範囲の幅を利用者２０６の幅（以下、検知幅２０４という）として所定の閾値（幅比較用）と比較する。そして、利用者判定部１２２は、検知幅２０４が幅比較用の閾値以上である場合に利用者２０６が車椅子２０７を使用していると判定し、検知幅２０４が幅比較用の閾値未満である場合に利用者２０６が車椅子２０７を使用していないと判定する。
【００２６】
図６は、実施の形態１における前方画像１１４の一例を示す図である。
例えば、利用者２０６が車椅子２０７を使用している場合、前方画像１１４には利用者２０６が図６に示すように映る。車椅子２０７を使用している利用者２０６は、車椅子２０７がある分、車椅子２０７を使用していない利用者２０６より幅が広くなる。
そこで、Ｓ１２２において、利用者判定部１２２は利用者２０６が映っていない標本画像と前方画像１１４との各画素を比較し、標本画像と前方画像１１４とで異なる範囲を利用者２０６が映っている範囲と判定し、判定した利用者２０６の範囲の横方向の画素数を検知幅２０４として算出し、算出した検知幅２０４と幅比較用の閾値とを比較して利用者２０６が車椅子２０７を使用しているか否かを判定する。幅比較用の閾値には、一般的に使用されている車椅子の幅（６００ｍｍ〜７００ｍｍ）より少し狭い幅（例えば、５５０ｍｍ）に相当する値（画素数）を用いる。
【００２７】
＜Ｓ１２３＞
Ｓ１２２において利用者２０６が車椅子２０７を使用していると判定した場合、利用者判定部１２２は前方画像１１４に基づいて車椅子２０７を使用している利用者２０６が大人であるか子供であるかを判定する。
このとき、利用者判定部１２２はＳ１２２で特定した利用者２０６の映っている範囲の高さ（画素数）を利用者２０６の高さ（座高）（以下、検知高さ２０５という）として所定の閾値（高さ比較用）と比較する。そして、利用者判定部１２２は、検知高さ２０５が高さ比較用の閾値以上である場合に利用者２０６が大人であると判定し、検知高さ２０５が高さ比較用の閾値未満である場合に利用者２０６が子供であると判定する。
図６において、大人の利用者２０６は座高が高い分、子供の利用者２０６より検知高さ２０５が長くなる。検知高さ２０５と比較する高さ用の閾値には、例えば、平均的な子供の座高より高く、平均的な大人の座高より低い高さ（例えば、８００ｍｍ）に相当する値（画素数）を用いる。
【００２８】
＜Ｓ１２４＞
Ｓ１２３において利用者２０６が車椅子２０７を使用している大人であると判定された場合、パネル制御部１２１はメモリ１０５に記憶されている大人向けガイダンス１１１を下視画面として液晶パネル１０２に表示する。
これにより、液晶パネル付きカードリーダ１００は、斜め下から液晶パネル１０２を見る車椅子２０７を使用している大人の利用者２０６に大人向けガイダンス１１１を見せることができる。
【００２９】
＜Ｓ１２５＞
Ｓ１２２において利用者２０６が車椅子を使用していないと判定された場合、および、Ｓ１２３において利用者２０６が車椅子２０７を使用している子供であると判定された場合、パネル制御部１２１はメモリ１０５に記憶されている子供向けガイダンス１１２を下視画面として液晶パネル１０２に表示する。
これにより、液晶パネル付きカードリーダ１００は、斜め下から液晶パネル１０２を見る子供の利用者２０６に子供向けガイダンス１１２を見せることができる。
【００３０】
実施の形態１において、カードリーダ１０１は認証情報１１３を読み取る装置の一例である。液晶パネル付きカードリーダ１００は、カードリーダ１０１の代わりに又はカードリーダ１０１と共に、その他の認証情報読取装置を備えてもよい。例えば、その他の認証情報読取装置には、利用者２０６の指紋、声紋、虹彩、静脈、顔の画像などの生体情報を認証情報１１３として読み取る生体認証装置や押下されたパスワードを認証情報１１３として入力するテンキーがある。
また、カメラ１０３は利用者２０６の幅および高さを検知するセンサの一例である。液晶パネル付きカードリーダ１００は、カメラ１０３の代わりに又はカメラ１０３と共に、その他のセンサを備えてもよい。例えば、その他のセンサには、赤外線センサや利用者２０６の脚位置および車椅子２０７の車輪位置を感知する圧力センサがある。
また、認証装置１９０やドア制御装置１８０は液晶パネル付きカードリーダ１００に内蔵されても構わない。
また、ガイダンス（大人向けガイダンス１１１、子供向けガイダンス１１２）が示す内容は任意の情報で構わない。
【００３１】
また、利用者判定部１２２により利用者２０６が車椅子２０７を使用していると判定された場合（Ｓ１２２）、パネル制御部１２１はＳ１２１で表示した上視画面を消してもよい。また、利用者判定部１２２により利用者２０６が車椅子２０７を使用していると判定された場合（Ｓ１２２）、パネル制御部１２１は上視画面を表示しないようにしても構わない。つまり、Ｓ１２１は、Ｓ１２２後に、利用者２０６が車椅子２０７を使用していないことを条件に実行されてもよい。このように、必要の無い場合に上視画面を表示しないことにより、消費電力を削減することができる。一方、上視画面と下視画面とを常に両方表示することにより、大人と子供、または、車椅子２０７を使用していない大人と車椅子使用者が同伴している場合、同伴している両者に同時に適したガイダンスを提示することができる。
【００３２】
また、パネル制御部１２１は、利用者２０６が車椅子２０７を使用している大人である場合、Ｓ１２４で車椅子２０７を使用している大人向けのガイダンスを表示し、利用者２０６が車椅子２０７を使用している子供である場合、Ｓ１２４で車椅子２０７を使用している子供向けのガイダンスを表示してもよい。つまり、利用者２０６が車椅子２０７を使用している場合、パネル制御部１２１は車椅子使用者向けのガイダンスを表示してもよい。
【００３３】
実施の形態１では、以下のような液晶表示機能付きカードリーダ（液晶パネル付きカードリーダ１００）について説明した。
【００３４】
液晶表示機能付きカードリーダは、ビルやマンションに設置され、カードリーダ１０１と液晶表示画面（液晶パネル１０２）とを付け、カードリーダ利用者向けのガイダンスを表示する。
【００３５】
液晶表示機能付きカードリーダは、ＩＣカード内に格納された情報を読み取るカードリーダ１０１と、液晶表示画面とを備える。さらに、液晶表示機能付きカードリーダは、液晶表示画面の上視方向用に表示するガイダンス１（上視画面）と液晶表示画面の下視方向用に表示するガイダンス２（下視画面）とを格納するメモリ１０５と、一つの液晶表示画面に上視用の表示内容と下視用の表示内容とを同時に独立して表示するＣＰＵ１０４とを備える。
【００３６】
液晶表示画面は、上方向から見たときに表示される画面（上視画面）と、下方向から見たときに表示される画面（下視画面）との２つの画面又は異なる方向から見たときに表示される２つ以上の異なる画面を、同時に且つ独立して、１つの画面に表示する液晶表示器である。
【００３７】
液晶表示機能付きカードリーダは利用者判定部１２２とパネル制御部１２１とを備える。
利用者判定部１２２は、利用者２０６が大人であるか子供であるか車椅子使用者であるかを判定する。
パネル制御部１２１は、液晶パネル１０２の上方向から見たときに表示される画面に予め設定された大人向けの専用ガイダンス（大人向けガイダンス１１１）を表示する。また、パネル制御部１２１は、利用者判定部１２２により利用者２０６が子供又は車椅子使用者であると判定された場合に液晶パネル１０２の下方向から見たときに表示される画面に予め設定された専用のガイダンスを利用者２０６に合わせて切り替えて表示する。
【００３８】
パネル制御部１２１は、利用者判定部１２２により利用者２０６が車椅子使用者であると判定されたとき、液晶パネル１０２の下方向から見たときに表示される画面に予め設定された大人向け又は車椅子使用者向け専用のガイダンスを表示する。
【００３９】
パネル制御部１２１は、利用者判定部１２２により利用者２０６が子供であると判定されたとき、液晶パネル１０２の下方向から見たときに表示される画面に予め設定された子供向け専用のガイダンス（子供向けガイダンス１１２）を表示する。
【００４０】
液晶表示機能付きカードリーダは、以下のような効果を奏する。
液晶表示画面を上視方向から見ると大人向けのガイダンスが、下視方向から見ると子供向けのガイダンスが見えるようにしたため、１つの液晶表示画面で大人にも子供にも分かり易いガイダンスを提示することができる。
また、幅検知センサ（カメラ１０３、利用者判定部１２２）で利用者２０６が子供であるか車椅子２０７を使用している大人であるかを判断するため、車椅子２０７を使用している大人にも大人向けのガイダンスを見せることができる。
【００４１】
実施の形態２．
実施の形態２では、液晶パネル付きカードリーダ１００が、下視画面を高さ判定の結果に基づいて決定せず、下視画面を利用者２０６に選択させる形態について説明する。
以下、実施の形態１と異なる事項について主に説明し、説明を省略する事項については実施の形態１と同様であるものとする。
【００４２】
図７は、実施の形態２における画面制御方法を示すフローチャートである。
ガイダンス表示処理（Ｓ１２０）での画面制御方法について、図７に基づいて以下に説明する。
【００４３】
＜Ｓ２２１＞
パネル制御部１２１は、Ｓ１２１と同様にして、上視画面として大人向けガイダンス１１１を液晶パネル１０２に表示する。
＜Ｓ２２２＞
利用者判定部１２２は、Ｓ１２２と同様にして、利用者２０６が車椅子２０７を使用しているか否かを判定する。
利用者２０６が車椅子２０７を使用していないと判定された場合、パネル制御部１２１は子供向けガイダンス１１２を下視画面として液晶パネル１０２に表示する（Ｓ２２６）。
【００４４】
＜Ｓ２２３＞
Ｓ２２２において利用者２０６が車椅子２０７を使用していると判定された場合、パネル制御部１２１は、大人向けガイダンス１１１と子供向けガイダンス１１２とのいずれかの選択を利用者２０６に促す選択画面を下視画面として液晶パネル１０２に表示する。選択画面はメモリ１０５に予め記憶されているものとする。
例えば、選択画面は「おとな」と表示された選択ボタンと「こども」と表示された選択ボタンとを含む画面である。
液晶パネル１０２を斜め下から見る利用者２０６である子供または車椅子２０７を使用している大人には液晶パネル１０２に選択画面が見える。
【００４５】
＜Ｓ２２４＞
ここで、液晶パネル１０２は、表面を押下され、押下された位置に対応する情報を利用者２０６の指定情報として取得するタッチパネルの機能を有しているものとする。
利用者２０６は液晶パネル１０２に表示された選択ボタンを押下して「おとな」または「こども」を選択する。
そして、パネル制御部１２１は、利用者２０６により選択された情報（指定情報）を液晶パネル１０２から入力する。
【００４６】
＜Ｓ２２５＞
液晶パネル１０２から入力した情報が「おとな」を示す場合、パネル制御部１２１は、Ｓ１２４と同様にして、大人向けガイダンス１１１を下視画面として液晶パネル１０２に表示する。
【００４７】
＜Ｓ２２６＞
液晶パネル１０２から入力した情報が「こども」を示す場合、パネル制御部１２１は、Ｓ１２５と同様にして、子供向けガイダンス１１２を下視画面として液晶パネル１０２に表示する。
【００４８】
利用者２０６により選択された下視画面を表示する処理（Ｓ２２３〜Ｓ２２６）は、実施の形態１において、車椅子２０７を使用する利用者２０６が大人であるか子供であるかの判定（Ｓ１３０）の精度が低いと思われる場合に実行してもよい。例えば、判定の精度が低いと思われる場合とは、利用者２０６の検知高さ２０５が７５０〜８５０ｍｍの範囲内であり、利用者２０６が大人である可能性も子供である可能性も高い場合である。このとき、検知高さ２０５が８５０ｍｍより大きい値を示す場合にＳ１４０が実行されて大人向けガイダンス１１１が下視画面として表示され、検知高さ２０５が７５０ｍｍ未満を示す場合にＳ１５０が実行されて子供向けガイダンス１１２が下視画面として表示され、検知高さ２０５が７５０ｍｍ以上８５０ｍｍ以下を示す場合にＳ２２３〜Ｓ２２６が実行される。
【００４９】
これにより、液晶パネル付きカードリーダ１００は、利用者２０６に応じた適切な画面をより確実に液晶パネル１０２に表示することができる。
【００５０】
実施の形態３．
実施の形態３では、液晶パネル付きカードリーダ１００が、高さ判定の結果にも基づいて下視画面を決定せず、利用者２０６が子供の場合でも車椅子２０７を使用する大人の場合でも、利用者２０６に分かり易いガイダンスを下視画面として液晶パネル１０２に表示する形態について説明する。
以下、実施の形態１および実施の形態２と異なる事項について主に説明し、説明を省略する事項については実施の形態１および実施の形態２と同様であるものとする。
【００５１】
図８は、実施の形態３における画面制御方法を示すフローチャートである。
ガイダンス表示処理（Ｓ１２０）での画面制御方法について、図８に基づいて以下に説明する。
【００５２】
＜Ｓ３２１＞
パネル制御部１２１は、Ｓ１２１と同様にして、上視画面として大人向けガイダンス１１１を液晶パネル１０２に表示する。
＜Ｓ３２２＞
利用者判定部１２２は、Ｓ１２２と同様にして、利用者２０６が車椅子２０７を使用しているか否かを判定する。
【００５３】
＜Ｓ３２３＞
Ｓ３２２において利用者２０６が車椅子２０７を使用していると判定された場合、パネル制御部１２１は、大人向けガイダンス１１１の内容と子供向けガイダンス１１２の内容とを含んだ兼用のガイダンスを下視画面として液晶パネル１０２に表示する。
例えば、兼用のガイダンスは、大人向けガイダンス１１１と子供向けガイダンス１１２とが上下や左右に並んだもの、大人向けガイダンス１１１の文書と子供向けガイダンス１１２の文章とが並列して記されたもの、大人向けガイダンス１１１の文章に仮名が振られたものである。
兼用のガイダンスはメモリ１０５に予め記憶されているものとする。
【００５４】
＜Ｓ３２４＞
Ｓ３２２において利用者２０６が車椅子２０７を使用していないと判定された場合、パネル制御部１２１は、Ｓ１２５と同様に、子供向けガイダンス１１２を下視画面として液晶パネル１０２に表示する。
【００５５】
これにより、液晶パネル付きカードリーダ１００は、高さ判定を行わずに、子供にとっても車椅子２０７を使用する大人にとっても分かり易いガイダンスを下視画面として液晶パネル１０２に表示することができる。
【図面の簡単な説明】
【００５６】
【図１】実施の形態１における液晶パネル付きカードリーダ１００の設置例を示す図。
【図２】実施の形態１における液晶パネル付きカードリーダ１００と大人からの目線と子供からの目線との関係を示す図。
【図３】実施の形態１における液晶パネル付きカードリーダ１００および認証システム１９９の構成図。
【図４】実施の形態１における認証システム１９９の認証方法を示すフローチャート。
【図５】実施の形態１における画面制御方法を示すフローチャート。
【図６】実施の形態１における前方画像１１４の一例を示す図。
【図７】実施の形態２における画面制御方法を示すフローチャート。
【図８】実施の形態３における画面制御方法を示すフローチャート。
【符号の説明】
【００５７】
１００  液晶パネル付きカードリーダ、１０１  カードリーダ、１０２  液晶パネル、１０３  カメラ、１０４  ＣＰＵ、１０５  メモリ、１１１  大人向けガイダンス、１１２  子供向けガイダンス、１１３  認証情報、１１４  前方画像、１２１  パネル制御部、１２２  利用者判定部、１２３  認証要求部、１８０  ドア制御装置、１９０  認証装置、１９９  認証システム、２００  ドア、２０１  上側視線方向、２０２  下側視線方向、２０４  検知幅、２０５  検知高さ、２０６  利用者、２０７  車椅子。
【図１】
0005258322.tif 000002
【図２】
0005258322.tif 000003
【図３】
0005258322.tif 000004
【図４】
0005258322.tif 000005
【図５】
0005258322.tif 000006
【図６】
0005258322.tif 000007
【図７】
0005258322.tif 000008
【図８】
0005258322.tif 000009